(57)【要約】【課題】  通紙作業の際、紙シートのフラッタリングを防止して、紙シートがテールカッターから離隔することを防止し、確実に紙シートを切断してテールを形成できるフラッタリング防止装置を提供する。【解決手段】  テールカッター13でテールＰt（図２）を切断形成する際に、退避位置（図１上想像線示）にある回転ナイフ14bを切断位置（図１上実線示）に回動させる動作に応動させて、防止ロッド22を退避位置（図１上想像線示）から防止位置（図１上実線示）に回動させ、該防止ロッド22を紙シートＰを押圧して緊張させる。これにより、紙シートＰのフラッタリングが防止され、テールカッター13の回転ナイフ14bによりテールが切断形成される。テールカッター13の切断位置から退避位置への移動により防止ロッド22も防止位置から退避位置へ移動して、紙シートＰの走行の支障とならない。【選択図】        図１
2010229600.tif 000002
【特許請求の範囲】
【請求項１】
テールカッターにより切断してテールを形成することとなる抄紙機の部位における紙シートのフラッタリングを防止する抄紙機のフラッタリング防止装置において、
紙シートに接触して紙シートを緊張させる防止位置と紙シートから離隔する退避位置との間を移動するフラッタリング防止手段を設け、
前記フラッタリング防止手段を前記テールカッターの移動に応動させて、該テールカッターが切断位置へ移動する際には前記防止位置へ、該テールカッターが切断位置から退避位置へ移動する際には前記退避位置へ移動することを特徴とする抄紙機のフラッタリング防止装置。
【請求項２】
前記フラッタリング防止手段を、前記テールカッターの揺動に応動して防止位置と退避位置との間を揺動する防止ロッドとしたことを特徴とする請求項１に記載の抄紙機のフラッタリング防止装置。
【請求項３】
前記フラッタリング防止装置は、アフタードライヤの最終部に配置することを特徴とする請求項１または請求項２に記載の抄紙機のフラッタリング防止装置。
【発明の詳細な説明】
【技術分野】
【０００１】
この発明は、抄紙機に通紙を行う際に紙シートの端部を切断して確実にテールを形成することができるようにしたフラッタリング防止装置に関する。
【背景技術】
【０００２】
製紙工程における長網式あるいはツインワイヤー式の抄紙機は、主としてワイヤーパートとプレスパート、ドライパート、カレンダーパート、リールパートとから構成されている。水にパルプが分散している製紙原料をストックインレットから無端循環移動する網状のワイヤーへ供給し、ワイヤーの走行中に脱水しながら紙層が形成され、プレスパートでこの紙層から搾水され、ドライパートで乾燥され、カレンダーパートで紙厚の調整や平滑性が付与され、リールパートでリールに巻き取られて巻取紙として完成する。
【０００３】
運転中に不用意に紙が切断された場合や、抄紙機のメンテナンス等の後に、抄紙機の運転を再開する場合には、抄紙機における紙の走行方向と直交する方向、すなわち抄紙機の幅方向の全域にわたって運転開始当初から抄紙することはできない。運転開始時では、前記各パート毎に細幅のテールを通過させる通紙作業が行われる。
【０００４】
例えば、ワイヤーパートとプレスパートの間や、プレスパートとドライパートの間、プレドライヤとサイズプレスの間、ドライパートとカレンダーパートの間等は、紙がワイヤーやフェルト、カンバス等によって案内されずに、紙シートのみが走行するオープンドローの部位となる。このような部位では、前工程のパートまで全幅に形成された紙シートの幅方向の端部を切断してテールを形成し、このテールを先行させて次工程のパートに通し、当該パートで全幅に形成する。この作業を各パート毎に行ってワイヤーパートからリールパートまで全幅で抄紙できるようになる。
【０００５】
前記テールを形成するにあたっては、前工程における抄紙により紙シートに含まれる水分に応じて紙シートを切断する機構が異なっている。例えば、プレスパートやドライパートへ通紙する際には、紙シートの水分率が高いため、ノズルから噴射した水によって切断してテールが形成される。また、アフタードライヤからカレンダーパート、リールパートへ通紙する際には、紙シートの乾燥が進んでいるため水分率が低く、ナイフによるテールカッターによって切断されてテールが形成される。
【０００６】
ところで、通紙時には抄紙状態が安定しておらず、水分率の変動が大きいため、図４に示すように、ドライヤシリンダ10bから離隔して図上矢標Ｑ方向へ走行する紙シートＰに撓みが生じてばたつく、いわゆるフラッタリングＦが生じる。前記テールカッター１の部分でフラッタリングＦを生じると、テールカッター１のナイフ２の刃先が紙シートと離隔してしまい、紙シートＰを切断できず、テールを形成できないおそれがある。テールが形成されない場合には通紙作業を行えず、通紙作業のやり直しをしなければならない。このフラッタリングＦを防止するための装置として、ドライパートの上段と下段の乾燥用シリンダ間にまたがる走行紙の両端部に臨んで、該両端部外側に配設された架構に設置した軸受から片持ち状にフラッタリング防止用ローラを張り出し、該ローラ装置のローラ回転軸を、走行紙の走行方向と直角に、ローラ面を紙面と接触する状態に配設させた紙フラッタリング防止装置が開示されている（特許文献１参照）。
【先行技術文献】
【特許文献】
【０００７】
【特許文献１】特開平６−３４１０８８
【発明の概要】
【発明が解決しようとする課題】
【０００８】
上述した特許文献１に開示されたフラッタリング防止装置は、抄紙機の運転時のフラッタリングを防止するためのものであり、通紙時におけるフラッタリングを防止するものではない。このため、このフラッタリング防止装置はドライパートにおけるドライヤシリンダ間に配置されるものとなっている。
【０００９】
これに対して、前述したように通紙時においては水分率の変動等によってテールの切断不良が生じて通紙作業を行えなくなってしまう。特許文献１に開示されたフラッタリング防止装置では、テールカッターとは無関係の位置に配置されるものであるため、テールの切断不良を解消することができるものではない。また、通紙作業が完了して全幅で抄紙できる状態における運転では、テールカッターのためのフラッタリング防止装置は不要となる。この点、特許文献１に記載されたフラッタリング防止装置のローラは常設されているため、テールカッターに対応するものとしては不都合な構造となっている。
【００１０】
そこで、この発明は、通紙作業時にはフラッタリングを防止してテールカッターによる切断不良を生じないようにすると共に、通紙作業の完了後にはテールカッターと共に紙シートの走行域から退避するようにした抄紙機のフラッタリング防止装置を提供することを目的としている。
【課題を解決するための手段】
【００１１】
前記目的を達成するための技術的手段として、この発明に係る抄紙機のフラッタリング防止装置は、テールカッターにより切断してテールを形成することとなる抄紙機の部位における紙シートのフラッタリングを防止する抄紙機のフラッタリング防止装置において、紙シートに接触して紙シートを緊張させる防止位置と紙シートから離隔する退避位置との間を移動するフラッタリング防止手段を設け、前記フラッタリング防止手段を前記テールカッターの移動に応動させて、該テールカッターが切断位置へ移動する際には前記防止位置へ、該テールカッターが切断位置から退避位置へ移動する際には前記退避位置へ移動することを特徴としている。
【００１２】
テールカッターは通紙時にはテールを切断するために紙の走行域に進入して切断位置に位置して一定幅のテールを形成し、通紙が完了した場合には紙の走行域から退避して退避位置に位置する。なお、テールが次工程に通紙された後には、該テールの幅を徐々に大きくして紙シートを通すため、テールカッターは紙シートの幅方向に移動しながら紙シートにおける切断箇所を変更し、全幅で紙シートが通った後に紙シートの走行域から退避することになる。このテールカッターの切断位置への移動により、前記フラッタリング防止手段を、紙シートを緊張させる方向へ移動させるようにして、フラッタリングを防止し、テールカッターを紙シートに確実に接触させるようにしたものである。紙シートを緊張させるためには、フラッタリング防止手段で紙シートを押圧する。紙シートが緊張することによりフラッタリングが防止されることになり、テールカッターから紙シートが離隔することを防止できる。このとき、押圧する方向はテールカッターが紙シートを切断することができる状態に緊張させることができればいずれの方向でも構わないが、紙シートをテールカッターに押し付ける方向とすることが好ましい。テールカッターが紙シートの走行域から退避して退避位置に移動することに応動して、フラッタリング防止手段も退避位置に移動し、以降は紙シートと接触することがない。
【００１３】
また、請求項２の発明に係る抄紙機のフラッタリング防止装置は、前記フラッタリング防止手段を、前記テールカッターの揺動に応動して防止位置と退避位置との間を揺動する防止ロッドとしたことを特徴としている。
【００１４】
テールカッターが切断位置と退避位置との間を移動する動作として、往復直線運動をさせる場合と、揺動運動させる場合とがある。テールカッターを揺動運動させる構造とした場合に、フラッタリング防止手段を防止ロッドにより形成し、テールカッターの揺動に応動させて揺動するようにしたものである。また、防止ロッドはテールカッターによるテールの切断部分を緊張させるのに十分な長さとすればよい。
【００１５】
また、請求項３の発明に係る抄紙機のフラッタリング防止装置は、前記フラッタリング防止装置は、アフタードライヤの最終部に配置することを特徴としている。
【００１６】
フラッタリングが生じてテールカッターの切断不能が生じるおそれがある部位としては、紙シートが乾燥された状態となる部位である。このため、このフラッタリング防止手段をアフタードライヤの最終部に配して、カレンダーパートやリールパートへの通紙作業を円滑に行えるようにしたものである。なお、必要に応じて、プレドライヤの最終部等に配置しても構わない。
【発明の効果】
【００１７】
この発明に係る抄紙機のフラッタリング防止装置によれば、テールカッターに応動させてフラッタリング防止手段により紙シートを緊張させることができるから、テールの切断時には確実に紙シートを緊張させることができ、紙シートをテールカッターの刃先から離隔することが防止され、確実にテールを切断することができる。したがって、通紙作業を支障なく行うことができて、抄紙機の運転効率を向上させられる。
【図面の簡単な説明】
【００１８】
【図１】この発明に係るフラッタリング防止装置の動作を説明する図である。
【図２】この発明に係るフラッタリング防止装置とテールカッターの概略の構造を示す斜視図である。
【図３】この発明に係るフラッタリング防止装置を装備させるアフタードライヤの後部からリールパートまでの構造の概略を説明する図である
【図４】フラッタリングが生じた場合の問題を説明する図であり、一部が図１に相当するものである。
【発明を実施するための形態】
【００１９】
以下、図示した好ましい実施の形態に基づいて、この発明に係る抄紙機のフラッタリング防止装置を具体的に説明する。
【００２０】
図３は抄紙機の一部であってドライパートのアフタードライヤ10とカレンダーパート11、リールパート12までの配列を示す図で、アフタードライヤ10の最終部のドライヤシリンダ10aとその直前のドライヤシリンダ10bとの間位置にテールカッター13が配備されている。ドライヤパートに対する通紙が完了した場合には、全幅の紙シートＰが通り、後続するカレンダーパート11やリールパート12への通紙作業を行う場合に、このテールカッター13で紙シートＰの耳部（テール）Ｐt（図２示）が切断されて、全幅の紙シートＰを通すのに先立って、このテールＰtにより通紙作業が行われる。なお、ドライヤパートではドライヤカンバス10cにより紙シートＰの走行が案内される。
【００２１】
図２は前記テールカッター13を示しており、この発明に係るフラッタリング防止装置20は、このテールカッター13に装備される。テールカッター13は、紙シートＰの幅方向を軸方向とすると共に、この軸を中心として回動可能に支持された案内筒13aと、この案内筒13a内を軸方向摺動するスライダ13bと、このスライダ13bに基端部が固定されたL字形に形成されている支持アーム13cと、この支持アーム13cの先端部に取り付けられたナイフ駆動モータ14aと、このナイフ駆動用モータ14aの出力軸に取り付けられた回転ナイフ14bとから構成されている。この回転ナイフ14bにより紙シートＰの幅方向の端縁部が切断されて、テールＰtが形成される。前記支持アーム13cは、案内筒13aの壁部に軸方向を長手方向として形成された長孔からなる案内孔13dを貫通させてある。また、前記スライダ13dにはチェーン13eが連繋されており、このチェーン13eの移動により該スライダ13dが移動するようにしてある。なお、前記ナイフ駆動モータ14aにはエアモータが用いられており、エア供給ホース13fから駆動用空気が供給されている。さらに、前記案内筒13aには駆動シリンダ15により往復移動するピストンロッド15aの先端部が連繋されており、ピストンロッド15aの進退により案内筒13aが前記軸を中心として回動するようにしてある。
【００２２】
前記フラッタリング防止装置20は、前記案内筒13aに取り付けられたブラケット21と、このブラケット21に支持されたフラッタリング防止手段としての防止ロッド22とから構成されている。防止ロッド22はほぼＬ字形に折曲され、該Ｌ字形の一方の支持腕部22bの端部が前記ブラケット21に支持され、他方の防止腕部22aが紙シートＰの幅方向に伸長させてある。この防止ロッド22の前記防止腕部22aは、図１及び図２に示すように、紙シートＰを挟んでテールカッター13の反対側に配されており、その先端部は、通紙作業時に形成されるテールＰtの切断側の端部とほぼ等しい位置まで伸長させてある。なお、紙シートＰは図において矢標Ｑ方向へ走行する。また、防止ロッド22の支持腕部22bを伸縮自在の構造として、前記防止腕部22aと紙シートＰとの相対位置を調整できるようにすることが好ましい。
【００２３】
以上により構成された抄紙機のフラッタリング防止装置について、その作用を以下に説明する。図１に示すように、テールカッター13の回転ナイフ14bが、想像線で示す退避位置と実線で示す切断位置との間を揺動する。この揺動は、前記駆動シリンダ15の作動用によるピストンロッド15aの進退により行われる。すなわち、ピストンロッド15aの進退の方向に応じた方向に前記案内筒13aが回動し、前記案内孔13dの旋回により、支持アーム13cが揺動してナイフ駆動用モータ14aと回転ナイフ14bとが揺動する。例えば、回転ナイフ14bが、ピストンロッド15aの後退により退避位置から切断位置まで揺動し、ピストンロッド15aの前進により切断位置から退避位置まで揺動する。
【００２４】
前記テールカッター13の揺動は、案内筒13aの回動によるから、この案内筒13aに取り付けられた前記ブラケット21も同方向に揺動し、このブラケット21に取り付けられた前記防止ロッド22が同方向に旋回することになる。防止ロッド22は、紙シートＰを挟んでテールカッター13と反対側に配されているから、この旋回により図１上想像線で示す退避位置から同図上実線で示す防止位置へ移動することになる。防止ロッド22が防止位置に位置した状態では、紙シートＰがこの防止ロッド22を擦過して走行することになり、紙シートＰをテールカッター13の回転ナイフ14bに押圧する状態に緊張させることになり、紙シートＰにフラッタリングが生じることが防止される。しかも、紙シートＰが回転ナイフ14bに押圧されることから、該紙シートＰを確実に切断でき、テールＰtを確実に形成することができる。
【００２５】
また、テールＰtが形成され、後続するカレンダーパート11やリールパート12への通紙が完了したならば、テールカッター13が紙シートＰのテールＰtが形成された側の端部と反対側の端部まで紙シートＰを切断しながら移動する。すなわち、前記チェーン13eの移動により該チェーン13eに連繋した前記スライダ13bが移動して、支持アーム13cが案内孔13dに沿って移動することによりナイフ駆動モータ14aと回転ナイフ14bとが移動するから、回転ナイフ14bによる切断箇所が紙シートＰの幅方向で変化する。このため、テールＰtの幅が徐々に拡大して、紙シートＰの端部まで移動した状態で全幅の紙シートＰがカレンダーパート11等に給送されることとなって、全幅で紙シートＰを抄造することができるようになる。なお、このとき、防止ロッド22はブラケット21が案内筒13aに取り付けられているため、紙シートＰの幅方向へ移動することはない。
【００２６】
回転ナイフ14bが紙シートＰの反対側の端部に達したならば、前記駆動シリンダ15を作動させてピストンロッド15aを前進させる。これにより案内筒13aが回動して、回転ナイフ14bを切断位置から退避位置へ移動させる。また、この案内筒13aの回動によりブラケット21が揺動して防止ロッド22が防止位置から退避位置へ旋回することになり、次の通紙作業に待機する状態となる。
【００２７】
以上説明した実施形態では、防止ロッド22を、紙シートＰを挟んでテールカッター13と反対側に配して構造について説明したが、紙シートＰに対して防止ロッド22をテールカッター13と同じ側に配置しても構わない。この場合には、防止ロッド22が紙シートＰに接触して緊張した状態の紙シートＰに回転ナイフ14bが接触するようにする。また、テールカッター13は、回動動作により退避位置と切断位置との間を移動するものとして説明したが、往復直線運動によりこれら退避位置と切断位置との間を移動する構造のものであっても構わない。この場合にも、このテールカッター13の移動に応動して防止ロッド22が退避位置と防止位置との間を移動する構造とすればよい。
【００２８】
なお、この実施形態では、アフタードライヤの後部に配置されたテールカッターにフラッタリング防止装置を具備させた場合について説明したが、テールカッターによりテールを切断する必要がある部分であれば、例えば、プレドライヤの最後部等、抄紙機の他の部位にも具備させることができる。
【産業上の利用可能性】
【００２９】
この発明に係る抄紙機のフラッタリング防止装置によれば、テールを形成する際のテールカッターの移動動作に応動してフラッタリング防止手段を移動させて紙シートを緊張させるようにしたため、紙シートを確実に切断できてテールを確実に成形できる。このため、通紙作業の円滑化を図り、抄紙機の運転効率の向上に寄与する。
【符号の説明】
【００３０】
10  アフタードライヤ
10a  ドライヤシリンダ
10b  ドライヤシリンダ
11  カレンダーパート
12  リールパート
13  テールカッター
13a  案内筒
14b  回転ナイフ
15  駆動シリンダ
20  フラッタリング防止装置
21  ブラケット
22  防止ロッド（フラッタリング防止手段）
22a  防止腕部
22b  支持腕部
Ｐ  紙シート
Ｐt  テール
【図１】
2010229600.tif 000003
【図２】
2010229600.tif 000004
【図３】
2010229600.tif 000005
【図４】
2010229600.tif 000006